【事件の表示】
　特願２００３−１０１０００「チェンジャー付ＤＶＤ再生装置及びチェンジャートレイの制御方法」拒絶査定不服審判事件〔平成１６年１１月　４日出願公開、特開２００４−３１０８４７〕について、次のとおり審決する。
【結　論】
　本件審判の請求は、成り立たない。
【理　由】
I．手続の経緯
　本件審判の請求に係る特許出願（以下「本願」という。）は、平成15年４月４日に出願されたものであって、平成18年５月11日付けで手続補正がなされ、平成18年７月３日付けで拒絶査定不服審判が請求され、平成18年７月20日付で手続補正がなされたものである。
　
　
II．平成18年７月20日付け手続補正についての却下の決定
　
　〔補正却下の決定の結論〕
　平成18年７月20日付け手続補正を却下する
　
　〔理由〕
　１．平成18年７月20日付け手続補正（以下「本件補正」という。）の内容
　本件補正の内容は、特許請求の範囲に関してするもので、そのうち【請求項１】については、
　−本件補正前−
「【請求項１】　
　所定枚数のディスクを搭載することが可能なチェンジャートレイと、
　前記チェンジャートレイの動作を制御するためのチェンジャーマイコンと、
　使用者がディスク再生装置に要求する動作に対応する信号を入力するためのパネルキーと、
　前記パネルキーにて受け付けられたキー入力信号をもとに前記チェンジャーマイコンに前記チェンジャートレイを制御するトレイ制御コマンドを出力するバックエンドとを有しており、
　前記パネルキーからのキー入力信号を直接前記チェンジャーマイコンに送信できない状態から、前記パネルキーからのキー入力信号を直接前記チェンジャーマイコンに送信できる直接入力モードへ切り替わり、前記パネルキーの入力、及び前記チェンジャーマイコンの動作によって前記チェンジャートレイを操作できることを特徴とするチェンジャー付ディスク再生装置。」
　
　としていたものを、
　
　−本件補正−
「【請求項１】　
　所定枚数のディスクを搭載することが可能なチェンジャートレイと、
　前記チェンジャートレイの動作を制御するためのチェンジャーマイコンと、
　使用者がディスク再生装置に要求する動作に対応する信号を入力するためのパネルキーと、
　前記パネルキーにて受け付けられたキー入力信号をもとに前記チェンジャーマイコンに前記チェンジャートレイを制御するトレイ制御コマンドを出力するバックエンドと
、
前記パネルキーと前記バックエンドをつなぐ回路と
　
前記パネルキーと前記チェンジャーマイコンをつなぐ回路と
　前記パネルキーからのキー入力信号を直接前記チェンジャーマイコンに送信できない状態から、前記パネルキーからのキー入力信号を直接前記チェンジャーマイコンに送信できる直接入力モードへ切り替わり、前記パネルキーの入力、及び前記チェンジャーマイコンの動作によって前記チェンジャートレイを操作できることを特徴とするチェンジャー付ディスク再生装置。」
　と、上記下線部について補正するものである。
　
　２．本件補正の適否
　上記本件補正で「
前記パネルキーと前記バックエンドをつなぐ回路と
前記パネルキーと前記チェンジャーマイコンをつなぐ回路と
　
　３．独立特許要件
　次に、本件補正の請求項１に係る発明が、特許出願の際に独立して特許を受けることができるものであるか（平成18年改正前特許法特許法第17条の２第５項において準用する同特許法第126条第５項の規定に違反するか）について、以下に検討する。
　
　(1)本件補正後発明　
　本件補正における【請求項１】に記載された発明（以下「本件補正後発明」という。）は、上記１．−本件補正−に記載したとおりのものである。
　
　(2)刊行物及び記載された事項
　拒絶査定の理由に引用された実用新案登録第3087184号公報（以下「刊行物１」という。）は、情報再生装置について以下の記載がある。（なお、下線は当審での付与。）
　 (i)「【０００１】
  【考案の属する技術分野】
  本考案は、例えば
円板状の記録媒体であるディスクを複数設置可能であり、これらの記録媒体の中から１つを選択して再生する情報再生装置
　 (ii)「【００１０】
  【考案の実施の形態】
  以下に、本考案の実施形態を図面を参照しながら説明する。図１は本考案の一実施形態である情報再生装置のブロック図である。この情報再生装置は、
複数枚のディスクを設置可能なトレイ状のディスクテーブル１を備えている。
       【００１１】
  再生時には、ディスクテーブル１に設置されているディスクのうち、所定の位置にあるディスク設置部（図１に示す状態ではディスク設置部Ｎ−３）に設置されているディスクがディスクモータ２に装填されてディスクモータ２によって回転駆動される。そして、ディスクテーブル１がテーブルモータ２３により回転駆動されることにより、ディスクテーブル１に設置されている複数のディスクの中でディスクモータ２に装填されるディスクが切り換えられる。
       【００１２】
  ディスクモータ２によって回転駆動されるディスクから情報を検出するピックアップ３の出力は、ＲＦアンプ４を介して信号処理回路５とサーボ処理回路６とに導かれており、サーボ処理回路６の出力は、デジタルシグナルプロセッサ（以下、「ＤＳＰ」）５に導かれている。
       【００１３】
  また、ＤＳＰ５には、ＲＦアンプ４によって増幅され、ＤＶＤ規格に従ってデコードされたデータ（但し、ここでは、ＭＰＥＧ（Motion Picture Expert Group）により圧縮されている）を一旦格納するトラックバッファＲＡＭ（Random Access Memory）７が接続されている。これら
ＲＦアンプ４、ＤＳＰ５、及び、サーボ処理回路６は、マイクロコンピュータ８によって制御される。このように、マイクロコンピュータ８は、ディスクから情報を再生する動作の制御を司るものであり、以下、「フロントエンドマイコン」と称する
       【００１４】
  
サーボ処理回路６は、フロントエンドマイコン８からＤＳＰ５を経由して送受信されるコマンドや制御データに従って、ピックアップ３に対するフォーカシングサーボやトラッキングサーボのサーボ制御を行うとともに、ピックアップ３全体をディスクの半径方向に移動させるためのスレッドモータ９の制御や、ディスクテーブル１を出し入れするトレイモータ１０の制御や、ディスクテーブル１を回転させるテーブルモータ２３の制御を行う
       【００１５】
  尚、ディスクモータ２で回転駆動されるディスクがＤＶＤである場合の再生信号は、ＲＦアンプ４を経由してＤＳＰ５に入力され、一方、ディスクモータ２で回転駆動されるディスクがＣＤである場合の再生信号は、ＲＦアンプ４からサーボ処理回路６を経由してＤＳＰ５に入力される。ＤＳＰ５は、これらＤＶＤデータのデコード処理やＣＤデータのデコード処理等も行う。
       【００１６】
  また、ＤＳＰ５は、Ａ／Ｖ（Audio/Video）デコーダ１１に接続されており、Ａ／Ｖデコーダ１１の出力は、ビデオエンコーダ１３とＤ／Ａコンバータ１４とに接続されている。Ａ／Ｖデコーダ１１は、トラックバッファＲＡＭ７から読み出されたＭＰＥＧにより圧縮されているデータを伸長する。また、Ａ／Ｖデコーダ１１には、伸長したデジタルのデータを数画面分格納するためのＡ／ＶデコードＲＡＭ１５が接続されている。
       【００１７】
  また、
Ａ／Ｖデコーダ１１は、マイクロコンピュータ１６に接続されており、マイクロコンピュータ１６には、ワークＲＡＭ１７が接続されている。尚、マイクロコンピュータ１６は、ディスクから再生された情報を出力する動作の制御を司るものであり、以下、「バックエンドマイコン」と称するものとする。また、フロントエンドマイコン８とバックエンドマイコン１６との連携により当情報再生装置全体の動作が制御
       【００１８】
  また、バックエンドマイコン１６には、ＬＣＤ等から成るフロントパネル２０の表示制御を行うフロントパネルコントローラ１９が接続されており、
フロントパネルコントローラ１９には、キー入力部２１の出力が導かれている
       【００１９】
  
キー入力部２１及びリモコン２２は、使用者が操作することにより当情報再生装置に対して各種の指示を入力するための操作部である。使用者の操作に応じてキー入力部２１及びリモコン２２から発生する信号はフロントパネルコントローラ１９を介してバックエンドマイコン１６に入力される。
　 (iii)「【００２５】
  ここで、キー入力部２１あるいはリモコン２２上で使用者が所定の操作を行うことにより連続再生の指示がバックエンドマイコン１６に入力される。この連続再生の指示が入力されたときにバックエンドマイコン１６の制御の下で行われる連続再生動作を図２に示すフローチャートを用いて説明する。」
　 (iv)「【００２９】
  尚、バックエンドマイコン１６は、キー入力部２１あるいはリモコン２２上で使用者によって行われる操作に応じて、ディスクテーブル１に設置される各ディスク毎に再生時間を設定するようになっている。」
　
　以上の摘示事項、及び、図面を参照して整理すると、刊行物１には以下の発明が記載されているものと認める。（なお、記号は図面との対応を容易とするために付した。）
　「複数枚のディスクを設置可能なトレイ状のディスクテーブル１を備え、
　ディスクテーブル１を回転させるテーブルモータ２３の制御を行うサーボ処理回路６と、
　サーボ処理回路６及び、ＲＦアンプ４、ＤＳＰ５とともにディスクから情報を再生する動作の制御を司る「フロントエンドマイコン」と称するマイクロコンピュータ８と、
　キー入力部２１は、使用者が操作することにより当情報再生装置に対して各種の指示を入力するための操作部で、
　操作に応じてキー入力部２１から発生する信号はフロントパネルコントローラ１９を介して「バックエンドマイコン」と称するマイクロコンピュータ１６に入力され、
　バックエンドマイコン１６は、ディスクから再生された情報を出力する動作の制御を司るものでフロントエンドマイコン８との連携により情報再生装置全体の動作を制御する、
　トレイ状のディスクテーブル１を備える情報再生装置。」（以下「刊行物１発明」という。）
　
　同じく、拒絶査定の理由に引用された特開平３−266246号公報（以下「刊行物２」という。）は、磁気記録再生装置について以下の記載がある。
　 (v)「〔産業上の利用分野〕
　本発明は、
ホストコンピュータにより動作する外部磁気記録再生装置における装置アドレス設定用スイッチを利用した診断テスト装置
　 (vi)「〔発明が解決しようとする課題〕
　上記従来技術は、
ターゲットの診断テストを行う場合、ホストコンピユーからの命令での動作が可能だが、ターゲット単独の診断テストが困難であるという問題があった。
本発明の目的は、ターゲットである磁気記録再生装置の単独の診断テストを、装置アドレス設定用スイッチを利用して行うことにある。
〔課題を解決するための手段〕
　上記目的を達成するために、本発明は
ターゲットにある装置アドレス設定用スイッチを、診断テスト用動作スイッチとして利用
　また、装置アドレス設定用スイッチを診断テスト用動作スイッチとして利用するために、装置アドレス設定用スイッチの状態を判断する手段を設けた。
〔作用〕
　ターゲットのアドレス設定用のスイッチは、通常、数ビットで装置アドレスに固定されて使用される。
　しかし、アドレス設定用スイッチの状態の判断を、装置アドレスのみに使用するのでなく、外部から入力された値として判断すれば、数種の入力信号となる。また、入力信号の変化を判断し、入力信号の変化に応じたターゲットの動作を行う手段を設けることにより、
アドレス設定用スイッチを特定の手順で操作すると、ホストコンピュータを介せずに、ターゲットである磁気記録再生装置の診断テストを単独で行うことができる
　 (vii)「［実施例］
　以下本発明の一実施例を第１図ないし第３図により説明する。
　
第１図は汎用のインターフェースであるスモールコンピュータシステムインタフェース（以下ＳＣＳＩとする）を用いた磁気記録再生装置の一実施例を示すブロック図であって、１は磁気記録再生装置，11は記録再生部，12はメモリ，13はインターフェースマイコン，14は装置アドレス設定スイッチ，15はＳＣＳＩ，２はホストコンピュータ（以下ホストとする）である。
　同図において、
磁気記録再生装置１はホスト２の命令をＳＣＳＩ15を介して通信し、この通信をインターフェースマイコンが判断して記録再生部11を動作し、磁気テープなどにデータを記録再生する
　また、磁気記録再生装置１の装置アドレスは、電源投入時の装置アドレス設定スイッチ14の状態番号により決定される。
　以上のように、
磁気記録再生装置１は、ホスト２の命令で動作するターミナルである
　 (viii)「
第２図、第３図は、ターミナルである磁気記録再生装置を単独で診断テストを行う一実施例である。
　装置アドレス設定スイッチ14は、通常、数ビットで装置アドレスに固定されているが、数ビットのスイッチであるので数種の装置アドレスを設定できる。
　しかし、
装置アドレス設定スイッチ14の切換えを行った場合、装置アドレスの変更かその他の目的かを判断できれば、装置アドレス設定スイッチ14を用いて、装置アドレスの設定とその他の目的、診断テストの動作を行うことができる
　第２図は、装置アドレススイッチを第３図の状態番号で示すように、状態番号０〜７までを、順次、設定することにより診断テストモードにする、インターフェースマイコンの流れ図である。
　電源投入後、インターフェースマイコン13は装置アドレス設定スイッチの状態を見てその値を装置番号とし、以降、このスイッチはテストモードに入るか否かの判断に用いる（ステップ199）、まず、初期状態として状態番号を零にする（ステップ200）。
　ステップ201でテストモードか否かを判断し、テストモードでない場合、ステップ202へ、テストモードの場合はステップ211と判断する。
　なお、初期値はテストモードでない（ステップ201）。
　テストモードでない場合、再び、装置アドレス設定スイッチ状態の値を読み込む。（ステップ202）次に、ステップ203は状態番号に１をプラスし、ステップ202で読み込んだ値と比較する。つまり、特定の装置アドレス設定スイッチの操作でなければ、テストモードにならない（ステップ203）。
　ステップ204でインタフェースマイコンの内部に格納されているステップ203で読み込んだ状態番号に１をプラスする（ステップ204）。
　ステップ205は、インターフェースマイコンの内部に格納しである装置アドレス設定スイッチの状態番号が、７であるかどうかを判断する。つまり、装置アドレス設定スイッチの状態番号を、０〜７まで順序よく操作したかどうかを判断する。
（ステップ205）
　ステップ205で、装置アドレス設定スイッチを特定の操作をされたことが判断されたのでテストモードにする。（ステップ206）
　このように、装置アドレス設定スイッチを特定の手順で操作した場合にのみテストモードになる。
　次に、ステップ206でテストモードになっているので、ステップ201はステップ211になり、今度は診断テストの内容を判断するため、再び、装置アドレス設定スイッチの内容を読み込む。（ステップ211）
　ステップ211で読み込まれた装置アドレス設定スイッチの内容をステップ212で判断する。なお、診断テスト時の動作内容は第３図に示す通りとする。（ステップ212）
　ステップ212で判断された診断テストの内容はステップ213で実行される。（ステップ213）
　このように、テストモードになると、別の診断テストの内容、つまり、新たに装置アドレス設定スイッチを操作するまで診断テストは行われることになる。
　第３図は診断テストの内容の一例を示すが、内容は、インターフェースマイコンのメモリに書き込まれている。
　本実施例によれば、製造過程の動作確認、保守や点検などにおける単独の診断テストが可能である。」（２頁左下１行〜３頁右上欄８行）
　 (ix) 「〔発明の効果〕
　
本発明によれば、ホストコンピュータの命令で動作する磁気記録再生装置の診断テストを装置単独で行うことができる
　また、
アドレス設定用のスイッチを装置アドレス設定のみでなく、診断テストに用いることにより、単独診断テスト用のスイッチや、外部入力端子を新たに設けることなく、装置単独の診断テストが可能
　
　(3)対比・判断
　〔対比〕
　 (a) 刊行物１発明における「複数枚のディスクを設置可能なトレイ状のディスクテーブル１を備え」は、本件補正後発明と「所定枚数のディスクを搭載することが可能なチェンジャートレイ」で共通する。
　 (b)刊行物１発明における「「フロントエンドマイコン」と称するマイクロコンピュータ８」は、「ディスクテーブルを回転させるテーブルモータ２３の制御を行うサーボ処理回路６」の動作制御をし、サーボ処理回路６はディスクテーブル１を出し入れするトレイモータ１０の制御や、ディスクテーブル１を回転させるテーブルモータ２３の制御を行うこと（上記(ii)の【００１３】【００１４】）から、本件補正後発明の「チェンジャートレイの動作を制御するためのチェンジャーマイコン」と共通する。
　 (c)刊行物１発明における「キー入力部２１」は、「使用者が操作することにより当情報再生装置に対して各種の指示を入力するための操作部」の機能をもつことから、本件補正後発明の「使用者がディスク再生装置に要求する動作に対応する信号を入力するためのキー」で共通する。
　 (d)刊行物１発明における「操作に応じてキー入力部２１から発生する信号はフロントパネルコントローラ１９を介して「バックエンドマイコン」と称するマイクロコンピュータ１６に入力」であるが、キー操作による入力信号と各種マイコンとの動作関係についての処理は「キー入力部２１及びリモコン２２は、使用者が操作することにより当情報再生装置に対して各種の指示を入力するための操作部である。使用者の操作に応じてキー入力部２１及びリモコン２２から発生する信号はフロントパネルコントローラ１９を介してバックエンドマイコン１６に入力される。バックエンドマイコン１６は、キー入力部２１及びリモコン２２からの信号に応じて当ディスク装置を構成する各部を統括的に制御する」（上記(ii)の【００１９】）、そして「フロントエンドマイコン８とバックエンドマイコン１６との連携により当情報再生装置全体の動作が制御」（上記(ii)の【００１７】）というもので、また上記動作制御の中には「ディスクテーブル１を出し入れするトレイモータ１０の制御や、ディスクテーブル１を回転させるテーブルモータ２３の制御を行う。」（上記(ii)の【００１４】）ことを含むことは上記(b)で既に指摘したとおりであるから、「「バックエンドマイコン」と称するマイクロコンピュータ１６」及び「キー入力部２１から発生する信号」入力後の処理は、本願補正後発明の「キーにて受け付けられたキー入力信号をもとにチェンジャーマイコンにチェンジャートレイを制御するトレイ制御コマンドを出力するバックエンド」及び「キーからのキー入力信号をチェンジャーマイコンに送信できる、キーの入力、及びチェンジャーマイコンの動作によってチェンジャートレイを操作」において共通する。
　 (e)上記(d)で指摘の刊行物１発明における「キー入力部２１」から「「バックエンドマイコン」と称するマイクロコンピュータ１６」とは【図１】も参酌して、本願補正後発明の「キーとバックエンドをつなぐ回路」をもっていることは明らかである。
　 (f)刊行物１おける「トレイ状のディスクテーブル１を備える情報再生装置」は、本願補正後発明の「チェンジャートレイを操作できるチェンジャー付ディスク再生装置」で共通する。
　
　 結局、両発明の共通する［一致点］、及び、［相違点］は以下のとおりである。
　［一致点］
　「所定枚数のディスクを搭載することが可能なチェンジャートレイと、
　前記チェンジャートレイの動作を制御するためのチェンジャーマイコンと、
　使用者がディスク再生装置に要求する動作に対応する信号を入力するためのキーと、
　前記キーにて受け付けられたキー入力信号をもとに前記チェンジャーマイコンに前記チェンジャートレイを制御するトレイ制御コマンドを出力するバックエンドと、
　前記キーと前記バックエンドをつなぐ回路と、    　
　前記キーからのキー入力信号を前記チェンジャーマイコンに送信できる、前記キーの入力、及び前記チェンジャーマイコンの動作によって前記チェンジャートレイを操作できるチェンジャー付ディスク再生装置。」の点。
　
　［相違点］
　(イ)ディスク再生装置に要求する動作を入力するための入力キー手段について、本件補正発明のものは「パネルキー」としているが、刊行物１発明のものには明確な記載がない点。
　(ロ)パネルキーとチェンジャーマイコンの間であるが、本件補正発明のものには「パネルキーとチェンジャーマイコンをつなぐ回路とを有し」というものであるが、刊行物１発明のものはこの構成がない点。
　(ハ)上記(ロ)に属する構成と関連して、さらに本件補正発明のものは「パネルキーからのキー入力信号を直接前記チェンジャーマイコンに送信できない状態から、」「パネルキーから・・・ 直接前記チェンジャーマイコンに送信できる直接入力モードへ切り替わり」との構成をもつものであるが、刊行物１発明にはこの構成について記載がない点。
　
　〔判断〕
　−上記相違点(イ)について−
　動作に対応する信号を入力するための入力キー手段として、「パネルキー」は周知であるから、刊行物１発明において「キー入力部２１」に「パネルキー」を採用していくことは当業者が容易に想到できるものである。
　
　−上記相違点(ロ)（ハ）について−
　刊行物２は、磁気記録再生装置に関するもので、媒体として「磁気テープ
など
　また、刊行物２は、第１図について、磁気記録再生装置の一実施例を示すブロック図として、“磁気記録再生装置１，記録再生部11，インターフェースマイコン13，装置アドレス設定スイッチ14，ＳＣＳＩ15，ホストコンピュータ２（以下ホストとする）”（上記(vii)）というもので、“磁気記録再生装置１はホスト２の命令をＳＣＳＩ15を介して通信し、この通信をインターフェイスマイコンが判断して記録再生部11を動作し、磁気テープ
など
　具体的には、「装置アドレス設定スイッチ14の切換えを行った場合、装置アドレスの変更かその他の目的かを判断できれば、装置アドレス設定スイッチ14を用いて、装置アドレスの設定とその他の目的、診断テストの動作を行うことができる。」（上記(viii)）として、「第３図は診断テストの内容の一例を示すが、・・・。本実施例によれば、製造過程の動作確認、保守や点検などにおける単独の診断テストが可能である。」（上記(viii)）と、第３図に「動作停止，再生動作，倍速早送り/巻き戻し，テープ排出動作，記録動作」等の記載があって、少なくとも『テープ排出動作』の記録媒体排出動作を含む単独可能な動作機能がある。
　要するに、刊行物２は、ターゲットである磁気記録再生装置について、保守や点検の際での動作確認を単独で可能とするよう「（ターゲットの診断テストを行う場合）一つはホストコンピユーからの命令で動作可能だが、二つとして装置アドレス設定用スイッチを利用して行うことにある。」と解される。
　また、刊行物２の第１図では、「装置アドレス設定スイッチ14」は「ホスト２」とは並列的で、「インターフェイスマイコン13」に対して直接接続されていることが把握でき、刊行物２の『ホスト２』は、本件補正後発明での「バックエンド」に、刊行物１発明の「バックエンドマイコン」に、刊行物２の『インターフェースマイコン13』は“装置アドレス設定装置”に記載のある「テープ排出動作」の排出動作を実行する機能をもち、本件補正後発明での「チェンジャマイコン」に、刊行物１発明での「フロントエンドマイコン」に相当する。
　
　ところで、通常、（ディスク）再生装置を含め不具合が生じた場合に、装置の各構成要素を個々に駆動して駆動するか否かで原因究明することは古典的手法として、また、故障していない要素の個々は単独で稼動できることは（それがシステム的動作でないとしても）自明であることを勘案し、さらに、記録媒体再生装置の故障の際には、装置に記録媒体が残された状態であればトレイから優先して取り出すことの要請は日頃経験する極めて通常的課題にすぎないことであるから、刊行物１発明において、刊行物２のように単独の診断テスト、要するに単独稼動可能な動作機能を採用して、上記通常的課題である特に媒体排出機能を直接操作できる「入力信号を直接前記チェンジャーマイコンに送信できない状態から、」「 直接前記チェンジャーマイコンに送信できる直接入力モードへ切り替わり」と、並列的にチェンジャマイコンを操作する入力機能を設けての、上記相違点(b)(c)の構成は、当業者が容易に想到できるものと認められる。この際、「パネルキーとチェンジャーマイコンをつなぐ回路とを有し」は必然的構成であるし、本件補正後発明での「（チェンジャーマイコンに送信できる）直接入力モードへ切り替わり」は、刊行物２の「装置アドレス設定スイッチ14の切換えを行った場合」が対応するものである。
　
　そして、上記各相違点についての判断を総合しても、本件補正後発明の奏する効果は、上記各刊行物に記載された発明、及び周知技術から当業者が十分予測可能なもので格別のものではない。
　
　結局、本件補正後発明は、刊行物１及び刊行物２に記載された発明に基づいて当業者が容易に発明をすることができたものと認められるから、特許法第29条第２項の規定により、特許出願の際独立して特許を受けることができないものである。
　
　４．補正についてのむすび
　以上のとおりであるから、本件補正は、平成18年改正前特許法第17条の２第５項において準用する同法第126条第５項の規定に違反するもので、特許法第159条第１項の規定において読み替えて準用する同法第53条第１項の規定により却下すべきものである。
　
　
III．本願発明
　１．本願発明
　平成18年７月20日付けの手続補正は、上記のとおり却下されたので、本願請求項１乃至２に係る発明は、平成18年５月11日付け手続補正で補正された特許請求の範囲の請求項１乃至２に記載されたとおりのものと認められるところ、【請求項１】に係る発明は、上記II．〔理由〕１．−本件補正前−の【請求項１】に記載されたとおりのもの（以下「本願発明」という。）である。
　
　２．刊行物
　これに対して、原査定の拒絶の理由で引用された刊行物及び周知技術等として記載された事項は、上記したとおりである（上記「II．〔理由〕３．(2)刊行物及び記載された事項」参照）。
　
　３．対比・判断
　本願発明は、上記II．で検討した本件補正後発明の構成から、
『
前記パネルキーと前記バックエンドをつなぐ回路と
　
前記パネルキーと前記チェンジャーマイコンをつなぐ回路と
の下線の構成を削除したものである。
　
　そうすると、本願発明の構成要件を実質的に全て含み、さらに他の構成要件を付加したものに相当する本件補正後発明が、上記「II．〔理由〕３．(3)の対比・判断」に記載したとおり、刊行物１及び刊行物２に記載された発明に基づいて当業者が容易に発明をすることができたものと認められるから、本願発明も、同様の理由により当業者が容易に発明をすることができたものである。
　
 ４．むすび
　以上のとおり、本願の請求項１に係る発明は、その出願前日本国内において頒布された刊行物１及び刊行物２に記載された発明に基づいて当業者が容易に発明をすることができたものであるから、特許法第29条第２項の規定により特許を受けることができない。
　したがって、本願は、その余の請求項について論及するまでもなく、拒絶すべきものである。
　
　よって、結論のとおり審決する。